【手続補正書】
【提出日】平成20年12月22日(2008.12.22)
【手続補正１】
【補正対象書類名】特許請求の範囲
【補正対象項目名】全文
【補正方法】変更
【補正の内容】
【特許請求の範囲】
【請求項１】
コンテンツのタイトルやコンテンツ内容の説明情報からなるコンテンツ関連情報を取得する取得手段と、
前記取得手段で取得した前記コンテンツ関連情報から、検索用キーワードを抽出するキーワード抽出手段と、
インターネット上において、前記キーワード抽出手段で抽出された前記検索用キーワードをウェブページに含むウェブサイトの検索を実行し、その検索結果である複数のウェブサイトの情報を取得するサイト検索手段と、
前記サイト検索手段で取得した前記検索結果の複数のウェブサイトのうちの、予め定められた順位までの上位の複数のウェブサイトを選定する第１のサイト選定手段と、
前記第１のサイト選定手段で選定された前記複数のウェブサイトにアクセスし、そのそれぞれのウェブページから文章を抽出し、抽出した文章に前記検索用キーワードを所定の閾値以上含む複数のウェブサイトを、シードサイトとして選定する第２のサイト選定手段と、
前記第２のサイト選定手段で選定された複数のシードサイトおよび当該シードサイトにリンクされている下位のウェブサイトから文章を収集し、当該収集した文章から、前記コンテンツの評判結果を取得する評判結果取得手段と、
を備える情報処理装置。
【請求項２】
請求項１に記載の情報処理装置において、
前記評判結果取得手段で取得した前記コンテンツの評判結果を、前記コンテンツのそれぞれを特定するための情報と対応させて、複数の前記コンテンツについて蓄積する蓄積手段と、
ネットワークを通じて、前記コンテンツを特定する情報を伴う前記評判結果の取得要求を受信したときに、前記取得要求に含まれる前記コンテンツを特定する情報により特定される前記コンテンツについての評判結果を、前記蓄積手段により蓄積された複数のコンテンツの評判結果の中から読み出して、前記取得要求してきた相手方に前記ネットワークを通じて送信する評判結果送信手段と、
を備えることを特徴とする情報処理装置。
【請求項３】
コンテンツのタイトルやコンテンツ内容の説明情報からなるコンテンツ関連情報を取得する取得手段と、
前記取得手段で取得した前記コンテンツ関連情報から、検索用キーワードを抽出するキーワード抽出手段と、
インターネット上の検索サイトに、前記キーワード抽出手段で抽出された前記検索用キーワードをウェブページに含むウェブサイトの検索を要求し、その検索結果である複数のウェブサイトの情報を取得するサイト検索要求手段と、
前記サイト検索要求手段で取得した前記検索結果の複数のウェブサイトのうちの、予め定められた順位までの上位の複数のウェブサイトを選定する第１のサイト選定手段と、
前記第１のサイト選定手段で選定された前記複数のウェブサイトにアクセスし、そのそれぞれのウェブページから文章を抽出し、抽出した文章に前記検索用キーワードを所定の閾値以上含む複数のウェブサイトを、シードサイトとして選定する第２のサイト選定手段と、
前記第２のサイト選定手段で選定された複数のシードサイトおよび当該シードサイトにリンクされている下位のウェブサイトから文章を収集し、当該収集した文章から、前記コンテンツの評判結果を取得する評判結果取得手段と、
を備える情報処理装置。
【請求項４】
請求項１または請求項３に記載の情報処理装置において、
検索用キーワードの入力を受け付けるキーワード受付手段と、
前記サイト検索手段は、前記キーワード抽出手段で抽出された検索用キーワードに加えて、前記キーワード受付手段で受け付けた検索用キーワードを含むウェブサイトの検索を、前記インターネット上の検索サイトに要求し、その検索結果としての複数のウェブサイトの情報を取得する
ことを特徴とする情報処理装置。
【請求項５】
請求項１または請求項３に記載の情報処理装置において、
前記第１のサイト選定手段は、前記検索サイトから取得した前記検索結果である複数のウェブサイトの情報に対して、絞込み条件に基づいて絞込みを行って、前記検索結果である複数のウェブサイトよりも少ないウェブサイトに絞り込む手段を備える
ことを特徴とする情報処理装置。
【請求項６】
請求項１または請求項３に記載の情報処理装置において、
評判表現語と、その評価値との対応関係からなる評判ルール辞書を備え、
前記評判結果取得手段は、前記収集した文章から評判表現語を検出し、検出した評判表現語により前記評判ルール辞書を参照することより対応する評価値を取得し、前記コンテンツの評価結果として、前記取得した複数個の前記評判表現語の評価値の合計値を算出する
ことを特徴とする情報処理装置。
【請求項７】
情報処理装置によるコンテンツの評判検索方法であって、
前記コンテンツのタイトルやコンテンツ内容の説明情報からなるコンテンツ関連情報を取得する取得工程と、
前記取得工程で取得した前記コンテンツ関連情報から、検索用キーワードを抽出するキーワード抽出工程と、
インターネット上において、前記キーワード抽出工程で抽出された前記検索用キーワードをウェブページに含むウェブサイトの検索を実行し、その検索結果である複数のウェブサイトの情報を取得するサイト検索工程と、
前記サイト検索工程で取得した前記検索結果の複数のウェブサイトのうちの、予め定められた順位までの上位の複数のウェブサイトを選定する第１のサイト選定工程と、
前記第１のサイト選定工程で選定された前記複数のウェブサイトにアクセスし、そのそれぞれのウェブページから文章を抽出し、抽出した文章に前記検索用キーワードを所定の閾値以上含む複数のウェブサイトを、シードサイトとして選定する第２のサイト選定工程と、
を有するコンテンツの評判検索方法。
【請求項８】
請求項７に記載のコンテンツの評判検索方法において、
前記第２のサイト選定工程で選定された複数のシードサイトおよび当該シードサイトにリンクされている下位のウェブサイトから文章を収集し、当該収集した文章から、前記コンテンツの評判結果を取得する評判結果取得工程を更に備える
コンテンツ評判検索方法。
【請求項９】
請求項８に記載のコンテンツの評判検索方法において、
前記評判結果取得工程で取得した前記コンテンツの評判結果を、前記コンテンツのそれぞれを特定するための情報と対応させて、蓄積部に、複数の前記コンテンツについて蓄積する蓄積工程と、
ネットワークを通じて、前記コンテンツを特定する情報を伴う前記評判結果の取得要求を受信したときに、前記取得要求に含まれる前記コンテンツを特定する情報により特定される前記コンテンツについての評判結果を、前記蓄積工程で蓄積された複数のコンテンツの評判結果の中から読み出して、前記取得要求してきた相手方に前記ネットワークを通じて送信する評判結果送信工程と
を有するコンテンツの評判検索方法。
【請求項１０】
ネットワークを通じて接続されるサーバ装置と、クライアント装置とからなり、
前記サーバ装置は、
コンテンツのタイトルやコンテンツ内容の説明情報からなるコンテンツ関連情報を取得する取得手段と、
前記取得手段で取得した前記コンテンツ関連情報から、検索用キーワードを抽出するキーワード抽出手段と、
インターネット上において、前記キーワード抽出手段で抽出された前記検索用キーワードをウェブページに含むウェブサイトの検索を実行し、その検索結果である複数のウェブサイトの情報を取得するサイト検索手段と、
前記サイト検索手段で取得した前記検索結果の複数のウェブサイトのうちの、予め定められた順位までの上位の複数のウェブサイトを選定する第１のサイト選定手段と、
前記第１のサイト選定手段で選定された前記複数のウェブサイトにアクセスし、そのそれぞれのウェブページから文章を抽出し、抽出した文章に前記検索用キーワードを所定の閾値以上含む複数のウェブサイトを、シードサイトとして選定する第２のサイト選定手段と、
前記第２のサイト選定手段で選定された複数のシードサイトおよび当該シードサイトにリンクされている下位のウェブサイトから文章を収集し、当該収集した文章から、前記コンテンツの評判結果を取得する評判結果取得手段と、
前記評判結果取得手段で取得した前記コンテンツの評判結果を、前記コンテンツのそれぞれを特定するための情報と対応させて、複数の前記コンテンツについて蓄積する蓄積手段と、
前記ネットワークを通じて、前記クライアント装置からの、前記コンテンツを特定する情報を伴う前記評判結果の取得要求を受信したときに、前記取得要求に含まれる前記コンテンツを特定する情報により特定される前記コンテンツについての評判結果を、前記蓄積手段により蓄積された複数のコンテンツの評判結果の中から読み出して、前記取得要求してきた相手方に前記ネットワークを通じて送信する評判結果送信手段と、
を備え、
前記クライアント装置は、
前記サーバ装置に、前記ネットワークを通じて、前記コンテンツを特定する情報を伴う前記評判結果の取得要求を送る手段と、
前記サーバ装置から、前記取得要求した前記コンテンツについての評判結果を受けて、使用者に報知する手段と、
を備えることを特徴とするコンテンツの評判検索システム。
【手続補正２】
【補正対象書類名】明細書
【補正対象項目名】０００８
【補正方法】変更
【補正の内容】
【０００８】
このため、従来は、個々のユーザが備えるパーソナル機器で、テレビ放送番組コンテンツなどのコンテンツの評判検索を行うことは、規模の点で困難であった。また、従来は、膨大な数のウェブサイトに巡回してアクセスして、評判検索対象のトピックに関する感想や意見の情報を収集するために、検索の結果の評判の情報を得るまでに、長時間がかかるという問題もあった。
【手続補正３】
【補正対象書類名】明細書
【補正対象項目名】００４１
【補正方法】変更
【補正の内容】
【００４１】
テレビ放送受信および記録再生部２０は、テレビ放送波受信デコード部２１と、記録再生処理部２２と、録画情報記憶部２３と、モニター出力インターフェース２４と、操作部２５および操作部インターフェース２６と、を備えている。制御部１０は、操作部２５を通じたユーザ操作入力を操作部インターフェース２６を通じて受け取って、ユーザ操作入力がどのような指示入力であるかを判断し、その判断結果に応じて、指示入力に応じた処理制御を実行する。
【手続補正４】
【補正対象書類名】明細書
【補正対象項目名】００４３
【補正方法】変更
【補正の内容】
【００４３】
そして、このテレビ放送波受信デコード部２１は、制御部１０からのテレビ放送番組選択制御信号に基づいて選択したテレビ放送波のテレビ放送番組を受信してデコードし、そのデコードして得られたテレビ放送番組コンテンツの映像信号および音声信号ＡＶをシステムバス１００に送出する。
【手続補正５】
【補正対象書類名】明細書
【補正対象項目名】００４４
【補正方法】変更
【補正の内容】
【００４４】
制御部１０は、操作部２５を通じたユーザの放送波選択操作入力および放送番組選択操作入力に基づいて、テレビ放送波受信デコード部２１に供給するテレビ放送番組選択制御信号を生成する。
【手続補正６】
【補正対象書類名】明細書
【補正対象項目名】００４５
【補正方法】変更
【補正の内容】
【００４５】
そして、制御部１０は、操作部２５を通じたユーザの操作入力として、録画開始指示や再生開始指示がなされていないと判断したときには、テレビ放送波受信デコード部２１からシステムバス１００に送出された映像信号および音声信号ＡＶを、モニター出力インターフェース２４を通じてモニター装置２に送り、モニター装置２の画面に、その映像を表示させると共に、音声を音響出力させるようにする。
【手続補正７】
【補正対象書類名】明細書
【補正対象項目名】００４６
【補正方法】変更
【補正の内容】
【００４６】
また、制御部１０は、操作部２５を通じたユーザの操作入力として、録画開始指示を受けたと判断したときには、テレビ放送波受信デコード部２１からシステムバス１００に送出された映像信号および音声信号ＡＶを記録再生処理部２２に送る。
【手続補正８】
【補正対象書類名】明細書
【補正対象項目名】００５０
【補正方法】変更
【補正の内容】
【００５０】
制御部１０は、このＥＰＧ情報を、例えばＲＡＭ１３に一時蓄えておき、録画指示されたテレビ放送番組コンテンツの録画情報を、録画情報記憶部２３に記憶する際に、当該一時蓄積されているＥＰＧ情報から、録画されたテレビ放送番組コンテンツのタイトルや、出演者名、そのコンテンツ内容に関する情報などのコンテンツ関連情報を抽出し、当該抽出したコンテンツ関連情報を、録画されたテレビ放送番組コンテンツに対応付けて、録画情報記憶部２３に記憶するようにする。また、録画日時などの情報も、併せて対応付けて記憶するようにする。
【手続補正９】
【補正対象書類名】明細書
【補正対象項目名】００６５
【補正方法】変更
【補正の内容】
【００６５】
構文解析エンジン３６は、構文解析辞書４２を参照しながら、形態素解析エンジン３５による形態素解析の結果、単語の区切りと品詞の種類が分かっている状態で、文章がどのような規則によって生成されたかを算出する処理を行う。構文解析辞書４２の辞書データも、インターネット３を通じて取得してもよいし、予め当該記録再生装置１用として作成するようにしてよい。構文解析および構文解析辞書についても、周知であるので、ここではその詳細な説明は省略する。
【手続補正１０】
【補正対象書類名】明細書
【補正対象項目名】００８０
【補正方法】変更
【補正の内容】
【００８０】
例えば、このとき、ステップＳ１で取得したコンテンツ関連情報として、図７のステップＳ２１に示すように、録画コンテンツのタイトルが「華麗なる王族」であり、その番組内容情報として出演者の「木村拓夫」、「南大路銀八」などの語が含まれたものが得られたとした場合、形態素解析による名詞のみの抽出（図７のステップＳ２２）により、検索用キーワードとしては、ステップＳ２３に示すように、「華麗」、「王族」、「木村拓夫」、「南大路銀八」・・・などが抽出される。
【手続補正１１】
【補正対象書類名】明細書
【補正対象項目名】０１３３
【補正方法】変更
【補正の内容】
【０１３３】
また、評判検索用辞書群７０は、上述した第１の実施の形態における評判検索用辞書群４０と全く同様に構成され、この例では、それぞれシステムバス１０１に接続されている、形態素解析辞書７１と、構文解析辞書７２と、シソーラス辞書７３と、評判ルール辞書７４とからなっている。
【手続補正１２】
【補正対象書類名】明細書
【補正対象項目名】０１４３
【補正方法】変更
【補正の内容】
【０１４３】
評判結果取得要求処理部９０が起動されると、先ず、評判結果取得要求生成部９１は、録画コンテンツの一覧表示から選択された録画コンテンツの評判検索要求を、当該録画コンテンツのコンテンツ識別情報（例えば、録画コンテンツのタイトル情報）を含めて、通信インターフェース３１およびインターネット３を通じて、番組評判検索蓄積サーバ装置７に送る。なお、番組評判検索蓄積サーバ装置７のインターネット３上のＵＲＬは、記録再生装置１に予め登録されて保持されている。
【手続補正１３】
【補正対象書類名】図面
【補正対象項目名】図９
【補正方法】変更
【補正の内容】
【図９】
2009015407.tif 000001